(57)【要約】【課題】スピーカを備えた空調装置で、空調装置としての性能を低下させず、かつ、音質も低下させない空調装置を提供する。【解決手段】浴室空調装置１Ａは、空気が吸い込まれるファン吸込口２０ａと空気が吹き出される吹出口２０ｂが下面に形成された装置本体部２と、装置本体部２の左右両側に取り付けられ、音楽等が出力される一対のスピーカ装置３と、装置本体部２とスピーカ装置３を一体に覆うフロントパネル４とを備える。フロントパネル４は、吸込口グリル４０ａ及び吹出口グリル４０ｂと、音出力穴４１ａとの間で空気の流れを遮る仕切り板４２を備え、ファン吸込口２０ａから吸い込まれる空気の流れによって、音出力穴４１ａからは空気が吸い込まれないようになっている。また、吹出口２０ｂから吹き出される空気が、音出力穴４１ａからは吹き出されないようになっている。【選択図】        図１
2008164206.tif 000002
【特許請求の範囲】
【請求項１】
空気が吸い込まれる吸込部と空気が吹き出される吹出部の少なくとも一方を有した装置本体部と、
前記装置本体部の少なくとも一方の側部に配置されたスピーカ装置と、
前記装置本体部に合わせて空気の吸込口と吹出口の少なくとも一方を有すると共に、前記スピーカ装置と対向して音出力穴を有し、前記装置本体部と前記スピーカ装置とを一体に覆う化粧パネルと、
前記化粧パネルの内側で、前記吸込口または前記吹出口、あるいは前記吸込口及び前記吹出口と、前記音出力穴との間で空気の流れを遮る仕切り部材と
を備えたことを特徴とする空調装置。
【請求項２】
前記仕切り部材は、前記化粧パネルと一体に形成された
ことを特徴とする請求項１記載の空調装置。
【請求項３】
前記仕切り部材は、前記装置本体部に形成された
ことを特徴とする請求項１記載の空調装置。
【請求項４】
前記仕切り部材と前記装置本体部または前記化粧パネルとの間にシール部材を備えた
ことを特徴とする請求項１，２または３記載の空調装置。
【請求項５】
前記スピーカ装置は、前記装置本体部の両側部に取り付けられた
ことを特徴とする請求項１，２，３または４記載の空調装置。
【発明の詳細な説明】
【技術分野】
【０００１】
本発明は、浴室の天井等に設置されて、暖房や換気等の機能を有すると共に、スピーカ装置を備えて音楽等を出力できるようにした空調装置に関する。
【背景技術】
【０００２】
従来より、浴室にスピーカを設置して、入浴中に音楽を楽しむことが出来るようにしたシステムが提案されている。また、近年は、浴室の暖房や換気、衣類の乾燥等を行う機能を有した空調装置を浴室に設置する例が多くなっている。そして、空調装置にスピーカを備えることで、施工性を向上させる技術が提案されている（例えば、特許文献１参照）。
【０００３】
スピーカを備えた空調装置では、空調装置の本体部分とスピーカとを一体に覆うフロントパネルを備えることで、施工性を向上させると共に、見栄えが悪化しないようにしている。
【０００４】
【特許文献１】特開２００５−１２７６８８号公報
【発明の開示】
【発明が解決しようとする課題】
【０００５】
スピーカを装置本体と共にフロントパネルで覆う構成とした空調装置では、音を出力するための穴部がフロントパネルに開けられている。このため、空調装置で吸い込まれる空気が、音を出力するための穴部からも吸い込まれたり、空調装置で吹き出される空気が、音を出力するための穴部からも吹き出される虞があった。
【０００６】
また、このように音を出力するための穴部を通る空気の流れが発生すると、スピーカに埃等が付着することにより音質が低下する虞があった。更に、空気の流れが乱れることで、換気や空調の性能が低下する虞があった。
【０００７】
本発明は、このような課題を解決するためになされたもので、スピーカを備えた空調装置で、空調装置としての性能を低下させず、かつ、音質も低下させない空調装置を提供することを目的とする。
【課題を解決するための手段】
【０００８】
上述した課題を解決するため、本発明の空調装置は、空気が吸い込まれる吸込部と空気が吹き出される吹出部の少なくとも一方を有した装置本体部と、装置本体部の少なくとも一方の側部に配置されたスピーカ装置と、装置本体部に合わせて空気の吸込口と吹出口の少なくとも一方を有すると共に、スピーカ装置と対向して音出力穴を有し、装置本体部とスピーカ装置とを一体に覆う化粧パネルと、化粧パネルの内側で、吸込口または吹出口、あるいは吸込口及び吹出口と、音出力穴との間で空気の流れを遮る仕切り部材とを備えたことを特徴とする。
【０００９】
本発明の空調装置では、装置本体部の吸込部から吸い込まれる空気の流れによって、化粧パネルの吸込口から浴室等の空気が吸い込まれ、吸い込まれた空気を屋外に排気することで、浴室の換気等が行われる。
【００１０】
また、装置本体部の吹出部から吹き出される空気が、化粧パネルの吹出口から浴室に吹き出され、浴室の暖房等が行われる。
【００１１】
更に、スピーカ装置から出力される音楽等が、化粧パネルの音出力穴から浴室に流れる。ここで、化粧パネルの音出力穴と吸込口及び吹出口との間は、仕切り部材で空気の流れが遮られており、装置本体部の吸込部から吸い込まれる空気の流れによって、音出力穴からは空気が吸い込まれないようになっている。また、装置本体部の吹出部から吹き出される空気が、音出力穴からは吹き出されないようになっている。
【発明の効果】
【００１２】
本発明の空調装置によれば、化粧パネルに形成された音出力穴を通る空気の流れが発生しないようにすることで、音出力穴及びスピーカ装置への埃等の付着による音質の低下や、汚れを抑制することができる。
【００１３】
また、化粧パネルの吸込口以外から吸い込まれる空気の流れ及び吹出口以外から吹き出される空気の流れが発生せず、空気の流れが乱れないので、換気や空調性能の低下を抑制することができると共に、空気の流れが乱れることによる騒音の発生を抑制することができる。
【発明を実施するための最良の形態】
【００１４】
以下、図面を参照して本発明の空調装置の一例としての浴室空調装置の実施の形態について説明する。
【００１５】
＜本実施の形態の浴室空調装置の構成例＞
図１は、本実施の形態の浴室空調装置の内部構成の一例を示す断面図、図２は、フロントパネルを外した状態の浴室空調装置の平面図、図３は、浴室空調装置の斜視図、図４は、浴室空調装置に取り付けられるフロントパネルの構成の一例を示す斜視図、図５は、浴室空調装置の設置例を示す構成図である。
【００１６】
本実施の形態の浴室空調装置１Ａは、図５に示す浴室１０１の天井パネル１０２に設置され、浴室１０１内の空気を吸い込んで、循環風により温風や送風を吹き出す機能及び吸い込んだ空気を屋外に排出する機能を有した装置本体部２と、音楽等が出力されるスピーカ装置３と、装置本体部２とスピーカ装置３を覆うフロントパネル４とを備える。
【００１７】
浴室空調装置１Ａは、浴室１０１に面した装置本体部２の下面にファン吸込口２０ａと吹出口２０ｂが形成されたファン部２１を備える。
【００１８】
ファン部２１は送風手段の一例で、回転駆動される多翼のファン２２と、ファン２２を回転駆動するファンモータ２２ａと、ファン２２の軸方向から空気を吸い込んで、ファン２２の接線方向に吹き出す風路を形成するファンケース２３とを備える。
【００１９】
ファン吸込口２０ａは吸込部の一例で、ファン２２の軸方向に沿ってファンケース２３の下面に形成され、ファン２２が回転駆動されると、ファン吸込口２０ａから空気が吸い込まれる。
【００２０】
また、吹出口２０ｂは吹出部の一例で、ファン２２の接線方向に沿った風路とつながってファンケース２３の下面に形成され、ファン２２が回転駆動されて、ファン吸込口２０ａから吸い込まれた空気が吹き出される。
【００２１】
更に、ファン部２１は、ファン２２の接線方向に沿った風路とつながって、ファンケース２３の一の側面に排出口２０ｃが形成され、ファン吸込口２０ａから吸い込まれた空気を、吹出口２０ｂから浴室１０１に吹き出すか、排出口２０ｃから屋外に排出するかを切り換える風路切換ダンパ２４を備える。
【００２２】
風路切換ダンパ２４は風路切換手段の一例で、図示しないダンパモータの駆動力がカム２４ａを介して伝達され、軸２４ｂを支点に回転して開閉動作が行われ、風路切換ダンパ２４を図１に実線で示す循環位置とすると、排出口２０ｃへの風路が遮断され、ファン吸込口２０ａから吹出口２０ｂへ連通した循環風路２５ａが形成される。
【００２３】
また、風路切換ダンパ２４を図１に二点鎖線で示す換気位置とすると、吹出口２０ｂへの風路が遮断され、ファン吸込口２０ａから排出口２０ｃへ連通した換気風路２５ｂが形成される。
【００２４】
更に、風路切換ダンパ２４を図１に破線で示す分流位置とすると、ファン吸込口２０ａから吹出口２０ｂへ連通した循環風路２５ａと、ファン吸込口２０ａから排出口２０ｃへ連通した換気風路２５ｂの双方が形成される。
【００２５】
ここで、浴室空調装置としては、循環ファン部と換気ファン部を別に備えて循環風路と換気風路が独立した構成等でも良い。
【００２６】
浴室空調装置１Ａは、吹出口２０ｂにヒータ２６を備える。ヒータ２６は加熱手段の一例で、吹出口２０ｂにＰＴＣヒータ等の電気ヒータを備えて構成される。
【００２７】
また、浴室空調装置１Ａは、吹出口２０ｂに電動ルーバ２７を備えても良い。電動ルーバ２７は風向切換手段の一例で、複数枚の整流板２７ａがルーバモータ２７ｂで駆動されて、整流板２７ａの向きを変えることで、空気の吹き出し方向が切り換えられる。
【００２８】
浴室空調装置１Ａは、ファンケース２３を覆う本体ケース２８を備える。本体ケース２８は、ファンケース２３のファン吸込口２０ａと吹出口２０ｂが形成された下面を除く４側面と上面を覆う形状で、ファンケース２３の排出口２０ｃと対向する位置に形成された開口部に排出ダクトジョイント２８ａが取り付けられる。
【００２９】
また、浴室空調装置１Ａは、ファンケース２３と本体ケース２８との間に配線導入部２３ａが形成される。配線導入部２３ａは、ファンケース２３の下面を貫通して形成された配線取り出し口２３ｂと、本体ケース２８の例えば上面を貫通して形成された配線取り出し口２８ｂとの間をつなぎ、本体ケース２８の外部から、本体ケース２８内を通して装置本体部２の下側に配線３０を引き出せるようになっている。
【００３０】
ここで、少なくとも配線取り出し口２３ｂは、図示しないシール部材等でシールされて防水構造を有し、浴室１０１内の湿気が配線導入部２３ａを通り漏れないようにしている。
【００３１】
浴室空調装置１Ａは、装置本体部２の外周にフランジ部２９を備える。フランジ部２９は、例えばファンケース２３と一体に形成され、本体ケース２８の４側面の下端側から、外側に向けて突出している。そして、装置本体部２の長手方向の両側のフランジ部２９に、スピーカ取り付け部２９ａが形成される。
【００３２】
スピーカ装置３は、スピーカ３１とスピーカボックス３２とを備える。スピーカ３１は、浴室１０１に面して下側を向くように、スピーカボックス３２の正面に取り付けられる。
【００３３】
スピーカボックス３２は、スピーカ３１を露出させる部位以外が囲われた密閉型で、更に、複数の部材で構成されるスピーカボックス３２の合わせ面や、スピーカ３１と接続される配線３３の引き出し部３２ａ等が図示しないシール部材でシールされて防水構造を有している。また、スピーカ３１も防水構造を有しており、スピーカボックス３２内に湿気が浸入しない構成である。
【００３４】
スピーカ装置３は、スピーカボックス３２に形成された取り付け凸部３２ｂを介して、ネジ３２ｃにより装置本体部２のスピーカ取り付け部２９ａに取り付けられる。これにより、スピーカ装置３は、浴室空調装置１Ａの長手方向に沿った左右両側のフランジ部２９に取り付けられた形態となる。なお、スピーカ装置３の取り付け形態としては、取り付け金具等を利用してフランジ部２９に取り付けるようにしても良い。
【００３５】
スピーカ装置３のスピーカ３１と接続された配線３３は、ファン吸込口２０ａや吹出口２０ｂを避けた経路でファンケース２３の下面に沿わせて、図示しない固定部材でファンケース２３に固定される。そして、スピーカ３１と接続された配線３３は、配線導入部２３ａを通して配線取り出し口２３ｂから引き出された配線３０と接続される。これにより、スピーカ装置３のスピーカ３１は、配線３０と配線３３により、例えば図５に示すように本体ケース２８の外部に設置されたオーディオアンプや電源等のオーディオ装置５０と接続される。
【００３６】
ここで、配線３３と配線３０は、本例では着脱可能なコネクタ３４を介して接続されている。なお、配線３３と配線３０を直結した形態でも良いし、本体ケース２８の配線取り出し口２８ｂから引き出された側の配線３０にコネクタを備えても良い。
【００３７】
フロントパネル４は化粧パネルの一例で、装置本体部２の下面を覆うグリル形成部４０と、左右両側のスピーカ装置３をそれぞれ覆うスピーカ収納部４１が一体に形成され、グリル形成部４０に吸込口グリル４０ａと吹出口グリル４０ｂを備える。
【００３８】
吸込口グリル４０ａは吸込口の一例で、フロントパネル４が装置本体部２に取り付けられると、ファン吸込口２０ａとつながる。また、吹出口グリル４０ｂは吹出口の一例で、フロントパネル４が装置本体部２に取り付けられると、吹出口２０ｂとつながる。なお、フロントパネル４は、吸込口グリル４０ａの裏側にフィルタ４０ｃが交換可能に取り付けられる。
【００３９】
また、フロントパネル４は、スピーカ収納部４１に、スピーカ装置３のスピーカ３１と対向して音出力穴４１ａが形成される。
【００４０】
更に、フロントパネル４は、グリル形成部４０とスピーカ収納部４１を仕切る仕切り板４２が内側に形成される。仕切り板４２は仕切り部材の一例で、フロントパネル４の内側を短手方向に横切る板状部材を一体に形成して構成される。
【００４１】
フロントパネル４は、装置本体部２のフランジ部２９に、図示しないネジ等により着脱可能に取り付けられ、フロントパネル４が装置本体部２に取り付けられると、図５に示す浴室１０１に露出した装置本体部２の下面と、装置本体部２の左右両側のスピーカ装置３が覆われる。
【００４２】
また、フロントパネル４が装置本体部２に取り付けられると、フロントパネル４内の仕切り板４２が、装置本体部２の下面側に突き当たる形態となって、フロントパネル４内のスピーカ収納部４１は、仕切り板４２によってファン吸込口２０ａ及び吹出口２０ｂと仕切られる。これにより、フロントパネル４の音出力穴４１ａは、ファン吸込口２０ａ及び吹出口２０ｂとつながらない構成である。
【００４３】
なお、スピーカ装置３と接続された配線３３を通すため、仕切り板４２または装置本体部２に図示しない溝部等が形成される。また、配線３３が通る溝部に空気が流れないようにするため、シール部材を備えても良い。
【００４４】
＜本実施の形態の浴室空調装置の設置例＞
次に、上述した浴室空調装置１Ａの設置例について、各図を参照して説明する。浴室空調装置１Ａは、図５に示す浴室１０１の天井パネル１０２に形成された開口部に装置本体部２が挿入され、フランジ部２９が天井パネル１０２に突き当てられて、天井パネル１０２に固定される形態、または、図示しない吊り下げ金具で天井裏に吊り下げられる形態で設置される。なお、浴室空調装置１Ａの設置位置は、浴槽１０１ａの上側である。
【００４５】
浴室１０１の天井パネル１０２に設置された浴室空調装置１Ａは、装置本体部２のフランジ部２９に、図示しないネジ等によりフロントパネル４が取り付けられ、装置本体部２の下面と、装置本体部２の左右両側のスピーカ装置３がフロントパネル４で覆われる。
【００４６】
フロントパネル４が装置本体部２に取り付けられると、ファン吸込口２０ａがフロントパネル４の吸込口グリル４０ａとつながり、吹出口２０ｂが吹出口グリル４０ｂとつながる。これにより、フロントパネル４の吸込口グリル４０ａからファン吸込口２０ａへ浴室１０１内の空気が吸い込まれ、吹出口グリル４０ｂから浴室１０１内へ空気が吹き出される。
【００４７】
また、上述したように、フロントパネル４内のスピーカ収納部４１は、仕切り板４２によってファン吸込口２０ａ及び吹出口２０ｂと仕切られて、フロントパネル４の音出力穴４１ａは、ファン吸込口２０ａ及び吹出口２０ｂとつながらない。
【００４８】
更に、浴室１０１の天井パネル１０２に設置された浴室空調装置１Ａは、排出ダクトジョイント２８ａに排気ダクト１０３が接続される。
【００４９】
排気ダクト１０３は、図示しない建物の外壁１０４に取り付けられた屋外グリル１０３ａに接続され、浴室空調装置１Ａで浴室１０１等から吸い込んだ空気を、排気ダクト１０３を介して屋外に排気できる構成となっている。
【００５０】
ここで、例えば浴室１０１の天井パネル１０２上にオーディオ装置５０が設置され、浴室空調装置１Ａの装置本体部２から引き出された配線３０が、オーディオ装置５０に接続される。
【００５１】
また、浴室１０１に浴室扉１０５を介して隣接した洗面脱衣所１０６の壁面に、オーディオ装置５０を操作するオーディオ操作部５１が設置され、オーディオ装置５０と例えば有線で接続されている。
【００５２】
更に、洗面脱衣所１０６の壁面には、浴室空調装置１Ａの操作部５２が設置され、浴室空調装置１Ａの図示しない制御部と例えば有線で接続されている。
【００５３】
＜本実施の形態の浴室空調装置の動作例＞
次に、上述した浴室空調装置１Ａの動作例について、各図を参照して説明する。浴室空調装置１Ａでは、ファンモータ２２ａによりファン２２が回転駆動されると、フロントパネル４の吸込口グリル４０ａからファン吸込口２０ａに浴室１０１の空気ＲＡが吸い込まれる。
【００５４】
風路切換ダンパ２４の位置が、図１に実線で示す循環位置であると、ファン吸込口２０ａから吹出口２０ｂへの循環風路２５ａが形成されるので、吸込口グリル４０ａから吸い込まれた空気ＲＡは、循環風路２５ａを通ってフロントパネル４の吹出口グリル４０ｂから吹き出される。
【００５５】
ヒータ２６は、循環風路２５ａの吹出口２０ｂに配置されるので、ヒータ２６が通電されることで、循環風路２５ａを通る空気が温められて、温風ＨＡが吹出口グリル４０ｂから吹き出す。
【００５６】
これにより、暖房運転モードでは、風路切換ダンパ２４を循環位置に移動させて、ファン部２１を駆動すると共に、ヒータ２６に通電することで、浴室１０１の空気を循環させながら、浴室１０１内に温風ＨＡが吹き出される。
【００５７】
また、涼風運転モードでは、風路切換ダンパ２４を循環位置に移動させて、ヒータ２６は非通電でファン部２１を駆動することで、浴室１０１の空気を循環させながら、浴室１０１内に室温に応じた送風が吹き出される。
【００５８】
風路ダンパ２４の位置が、図１に二点鎖線で示す換気位置であると、ファン吸込口２０ａから排出口２０ｃへの換気風路２５ｂが形成されるので、フロントパネル４の吸込口グリル４０ａから吸い込まれた空気は、換気風路２５ｂを通って排出口２０ｃから排気される。
【００５９】
これにより、換気運転モードでは、風路切換ダンパ２４を換気位置に移動させて、ファン部２１を駆動することで、浴室１０１内の湯気や湿気が排気される。
【００６０】
風路切換ダンパ２４の位置が、図１に破線で示す分流位置であると、ファン吸込口２０ａから吹出口２０ｂへの循環風路２５ａと、ファン吸込口２０ａから排出口２０ｃへの換気風路２５ｂの双方が形成されるので、フロントパネル４の吸込口グリル４０ａから吸い込まれた空気は、一部は循環風路２５ａを通って吹出口グリル４０ｂから浴室１０１内に吹き出される。
【００６１】
また、吸込口グリル４０ａから吸い込まれた空気の残部は、換気風路２５ｂを通って排出口２０ｃから排気される。
【００６２】
これにより、乾燥運転モードでは、風路切換ダンパ２４を分流位置に移動させて、ファン部２１を駆動すると共に、ヒータ２６に通電することで、浴室１０１の空気の一部を循環させて浴室１０１内に温風ＨＡを吹き出しながら、浴室１０１内の湯気や湿気が排気される。
【００６３】
なお、涼風運転モードとして、風路切換ダンパ２４を分流位置に移動させ、ヒータ２６は非通電でファン部２１を駆動することで、浴室１０１の空気の一部を循環させて浴室１０１内に室温に応じた送風を吹き出しながら、浴室１０１内の湯気や湿気が排気されるようにしても良い。
【００６４】
さて、浴室空調装置１Ａは、上述したようにスピーカ装置３が備えられており、スピーカ装置３がオーディオ装置５０と接続されることで、入浴中に音楽等を楽しむことができる。
【００６５】
そして、浴室空調装置１Ａでは、装置本体部２の両側にスピーカ装置３を配置したことで、ステレオ効果を得ることができる。すなわち、図１等に示すように、装置本体部２の長手方向に対して両側にスピーカ装置３を配置することにより、スピーカ装置３の間隔を離すことができ、ステレオ感を得ることができる。
【００６６】
また、図示しないが、装置本体部の短手方向に対して両側にスピーカ装置を配置することにより、通常、浴槽の長手方向に対して左右両側にスピーカ装置が配置されることになって、浴槽内で入浴者がより高いステレオ感を得ることができる。
【００６７】
スピーカ装置３は、浴室空調装置１Ａのフランジ部２９に取り付けられており、浴室空調装置１Ａを浴室１０１の天井パネル１０２に設置することで、スピーカ装置３が一体に浴室１０１に設置されるので、施工性が良い。
【００６８】
また、スピーカ装置３は、浴室空調装置１Ａのフロントパネル４で一体に覆われるので、浴室１０１内における見栄えが悪くなることがない。そして、フロントパネル４内でスピーカ装置３が収納されるスピーカ収納部４１は、仕切り板４２によってファン吸込口２０ａ及び吹出口２０ｂと仕切られて、フロントパネル４の音出力穴４１ａは、ファン吸込口２０ａ及び吹出口２０ｂとつながらない。
【００６９】
これにより、上述した各運転モードで、ファン部２１が駆動されることによってファン吸込口２０ａから空気が吸い込まれると、浴室１０１に面したフロントパネル４の吸込口グリル４０ａからは浴室１０１の空気が吸い込まれるが、仕切り板４２でファン吸込口２０ａと仕切られた音出力穴４１ａからは空気が吸い込まれないようになっている。
【００７０】
また、ファン部２１が駆動されることによって吹出口２０ｂから吹き出される空気は、フロントパネル４の吹出口グリル４０ｂから浴室１０１に吹き出されるが、仕切り板４２で吹出口２０ｂと仕切られた音出力穴４１ａからは吹き出されないようになっている。
【００７１】
従って、フロントパネル４の音出力穴４１ａを通る空気の流れが発生しないようにすることができるので、音出力穴４１ａ及びスピーカ装置３への埃等の付着による音質の低下や、汚れを抑制することができる。
【００７２】
また、浴室空調装置１Ａのファン吸込口２０ａから吸い込まれる空気及び吹出口２０ｂから吹き出される空気が、所定の風路で流れるので、換気、暖房、乾燥性能等の低下を抑制することができると共に、空気の流れが変わることによる異音の発生を抑制することができる。
【００７３】
更に、ファン部２１の送風による空気の流れがスピーカ収納部４１で発生しないようにすることで、スピーカ装置３から発生される音の音質低下を抑制または防止することができる。
【００７４】
なお、スピーカ装置３を備えていない従来の浴室空調装置に比較して、フロントパネル４は大型化するが、フロントパネル４の内側に仕切り板４２が一体に形成されることで、フロントパネル４の剛性を増やすことができる。
【００７５】
ここで、スピーカ装置３の取り付け形態としては、浴室空調装置１Ａのフランジ部２９の正面側に取り付けて、天井パネル１０２から突出した形態の他、装置本体部２の側部に取り付けて、天井パネル１０２に埋め込むような形態としても良い。また、スピーカ装置３を浴室空調装置１Ａとは独立させて、装置本体部２の両側の天井パネル１０２に取り付け、独立した構成の装置本体部２とスピーカ装置３を、一体のフロントパネル４で覆うようにしても良い。
【００７６】
なお、スピーカ装置３の数は、上述した例では２個としたが、１個、または２個以上でも良い。
【００７７】
図６は、本実施の形態の浴室空調装置の変形例を示す要部構成図である。フロントパネル４内において、グリル形成部４０とスピーカ収納部４１を仕切る仕切り板４２は、図６（ａ）に示すように、フロントパネル４の内側に突き当たる所定の高さの線状のリブをファンケース２３の下面に一体に形成する等により、装置本体部２側に備える構成としても良い。
【００７８】
また、図６（ｂ）に示すように、フロントパネル４に形成された仕切り板４２の装置本体部２と対向する端部にゴム等のシール部材４２ａを備え、フロントパネル４を装置本体部２に取り付けたときに、シール部材４２ａが装置本体部２に密着して、仕切り板４２と装置本体部２との間に隙間が形成されないようにしても良い。なお、シール部材４２ａは、装置本体部２側に取り付けるようにしても良い。
【００７９】
同様に、図６（ｃ）に示すように、装置本体部２に形成された仕切り板４２のフロントパネル４と対向する端部にシール部材４２ａを備え、フロントパネル４を装置本体部２に取り付けたときに、シール部材４２ａがフロントパネル４に密着して、仕切り板４２とフロントパネル４との間に隙間が形成されないようにしても良い。なお、シール部材４２ａは、フロントパネル４側に取り付けるようにしても良い。
【００８０】
図６（ｂ），図６（ｃ）に示すように、仕切り板４２と、装置本体部２またはフロントパネル４との間の密着性を高めることで、隙間を通る空気の流れを無くし、所謂風切り音の発生をより確実に抑制または防止することができる。
【００８１】
浴室空調装置の他の変形例としては、ファン部を有した装置本体部と、吸込口及び吹出口の双方、または、吸込口と吹出口のどちらか一方を独立して設け、ダクトで接続する形態として、装置本体部と独立した吸込口グリルまたは吹出グリルに、スピーカ装置を備える構成としても良い。
【産業上の利用可能性】
【００８２】
本発明は、浴室等に設置され、浴室の暖房や換気等の機能を有すると共に、入浴中に音楽を聴けるようにした浴室暖房換気乾燥機に適用される。
【図面の簡単な説明】
【００８３】
【図１】本実施の形態の浴室空調装置の内部構成の一例を示す断面図である。
【図２】本実施の形態の浴室空調装置においてフロントパネルを外した状態を示す平面図である。
【図３】本実施の形態の浴室空調装置の外観斜視図である。
【図４】本実施の形態の浴室空調装置に取り付けられるフロントパネルの構成の一例を示す斜視図である。
【図５】本実施の形態の浴室空調装置の設置例を示す構成図である。
【図６】本実施の形態の浴室空調装置の変形例を示す要部構成図である。
【符号の説明】
【００８４】
１Ａ・・・浴室空調装置、２・・・装置本体部、２０ａ・・・ファン吸込口、２０ｂ・・・吹出口、２０ｃ・・・排出口、２１・・・ファン部、２２・・・ファン、２２ａ・・・ファンモータ、２３・・・ファンケース、２３ａ・・・配線導入部、２３ｂ・・・配線取り出し口、２４・・・風路切換ダンパ、２４ａ・・・カム、２４ｂ・・・軸、２５ａ・・・循環風路、２５ｂ・・・換気風路、２６・・・ヒータ、２７・・・電動ルーバ、２７ａ・・・整流板、２７ｂ・・・ルーバモータ、２８・・・本体ケース、２８ａ・・・排出ダクトジョイント、２８ｂ・・・配線取り出し口、２９・・・フランジ部、２９ａ・・・スピーカ取り付け部、３・・・スピーカ装置、３０・・・配線、３１・・・スピーカ、３２・・・スピーカボックス、３２ａ・・・引き出し部、３２ｂ・・・取り付け凸部、３３・・・配線、３４・・・コネクタ、４・・・フロントパネル、４０・・・グリル形成部、４０ａ・・・吸込口グリル、４０ｂ・・・吹出口グリル、４１・・・スピーカ収納部、４１ａ・・・音出力穴、４２・・・仕切り板、５０・・・オーディオ装置、５１・・オーディオ操作部、５２・・・操作部、１０１・・・浴室、１０２・・・天井パネル、１０３・・・排気ダクト、１０４・・・外壁、１０５・・・浴室扉、１０６・・・洗面脱衣所
【図１】
2008164206.tif 000003
【図２】
2008164206.tif 000004
【図３】
2008164206.tif 000005
【図４】
2008164206.tif 000006
【図５】
2008164206.tif 000007
【図６】
2008164206.tif 000008